(57)【要約】  【課題】指の不自由な者にも使い勝手が良好であり、且つ簡素に作れるベルトレンチを新たに提供する。  【解決手段】支杆１と、一端を支杆１に係着し他端を自由端としたベルト２と、中間部にループ２０を形成して折り返したベルト２の他端側を支杆１内に挿し通すことなく支杆１の外側に係留するための面ファスナー要素３１ａ、３１ｂ、３２ａとを具備し、その係留手段３はループ２０の大きさを変更可能とするものであって、ベルト２のループ２０を対象物ａに巻き掛けて支杆１を回転操作するに伴い、支杆１の一部をベルト押さえとして機能させてベルト２のループ２０を狭めつつ対象物ａを緊締して回転抵抗に抗して回転させ得るようにした。  【選択図】図３
0003137598.tif 000002
【実用新案登録請求の範囲】
【請求項１】
支杆と、一端及び他端を支杆の外側に固定又は係り合わせその中間にループを形成したベルトとを具備し、ベルトのループを対象物に巻き掛けて支杆を回転操作するに伴い、支杆の一部をベルト押さえとして機能させてベルトのループを狭めつつ対象物を緊締して回転抵抗に抗して回転させ得るようにしたことを特徴とするベルトレンチ。
【請求項２】
支杆と、一端を支杆に直接又は間接に固定若しくは係着され他端を自由端としたベルトと、中間部にループを形成して折り返した前記ベルトの他端側を支杆内に挿し通すことなく当該支杆の外側に係留するための係留手段とを具備し、その係留手段はループの大きさを変更可能とするものであって、ベルトのループを対象物に巻き掛けて支杆を回転操作するに伴い、支杆の一部をベルト押さえとして機能させてベルトのループを狭めつつ対象物を緊締して回転抵抗に抗して回転させ得るようにしたことを特徴とするベルトレンチ。
【請求項３】
係留手段は、支杆を回転操作し始める前段階においてベルトを支杆に脱着可能に仮固定するものである請求項２記載のベルトレンチ。
【請求項４】
係留手段が、支杆及びベルトの対応部位にそれぞれ貼着される面ファスナー要素である請求項３記載のベルトレンチ。
【請求項５】
係留手段は、支杆に沿ってベルトを、当該支杆から一定以上離れないように規制するものである請求項２記載のベルトレンチ。
【請求項６】
係留手段が、支杆に取り付けられてベルトを挿し通す開口を形成する挿通部を具備する請求項５記載のベルトレンチ。
【請求項７】
係留手段が、支杆に引っ掛けられてベルトを挿し通す開口を形成する挿通部を具備する請求項５記載のベルトレンチ。
【請求項８】
挿通部が、支杆のベルト押さえとともに対象物を押さえる固定具として機能している請求項６又は７記載のベルトレンチ。
【請求項９】
ベルトの一端が挿通部の一部に取り付けられる請求項６〜８記載のベルトレンチ。
【請求項１０】
支杆のうちベルト押さえとして機能する部位に、ベルトの緩みを抑制する抵抗部を設けている請求項５〜９記載のベルトレンチ。
【請求項１１】
支杆が長尺な平板状のものである請求項１〜１０何れかに記載のベルトレンチ。
【請求項１２】
支杆の先端側が湾曲しており、回転操作時に対象物をベルトを介して凹となる面側に巻き込むようにしている請求項１１記載のベルトレンチ。
【考案の詳細な説明】
【技術分野】
【０００１】
本考案は、オープナー等として利用可能なベルトレンチに関するものである。
【背景技術】
【０００２】
この種のオープナーやベルトレンチとして、特許文献１〜５に示すもの等が知られている。
【０００３】
特許文献１のものは、グリップから環状に繰り出したベルトでループを作り、先端を再びグリップ内に挿入して、ループ部分において開蓋できるようにしたオープナーであり、特許文献２のものは、特許文献１の改良品とも言えるものであって、グリップ内に繰り出し／巻き取り用の回転盤を備え、伸縮調整した上で回転盤を押さえながらループ部分において開蓋できるようにしたオープナーである。また、特許文献５のものは、中空の本体の内部に挿入したベルトを、本体の途中に設けたベルト取り出し穴からループ状に取り出し、ベルトの先端は再度本体の内部を通して本体の他端のベルト引き出し口から引き出しておき、ループ部分において開蓋できるようにしたオープナーである。
【０００４】
一方、特許文献３のものは、中空ハンドルの先端にベルト止めを設け、その反対側に支点回りに可動するテコをバネとともに設け、ベルト止めからベルトを繰り出してループを作りその先端をテコの内側を通して中空ハンドル内に挿入して、ループ部分において開蓋できるようにしたベルトレンチであり、特許文献４のものは、ハンドルの先端にフレームを形成してそのフレームにベルトの一端を固定し、ベルトをループ状にした後にその他端をフレームに通して、ループ部分において開蓋できるようにしたバルブレンチである。
【特許文献１】特開２０００−２８１１８５号公報
【特許文献２】特開２００７−５０９２９号公報
【特許文献３】特開平８−２４３９３７号公報
【特許文献４】特開２０００−２２５５７４号公報
【特許文献５】特開２００４−１８２３４０号公報
【考案の開示】
【考案が解決しようとする課題】
【０００５】
ところが、これらは何れのものも、一端を固定したベルトの他端をハンドルやグリップ自体に帰還させる構造であり、グリップに細い（或いは狭い）中空部や穴あき部などを形成してそこに挿し通さなければならない。このため、ベルトがうっかり外れた場合に、指の不自由なもの等には再度の差込みができなくなるという不都合が生じ得る。また、ハンドルやグリップを所要の肉厚のものにして中空部や穴あき部を加工あるいは作り込まなければならないため、ハンドルやグリップとして使用できる素材や形態にも制約が多くなる。
【０００６】
さらに、ベルトの他端をハンドルやグリップに帰還させ、所要のループを形成した状態で、ベルトが繰り出されてループが広がることがないようにベルトの表出している僅かな部分（或いはベルト押さえ用に設けられた局所的な部分）を手で押さえながら回転操作をしなければならないため、指の不自由な者には操作し辛いものである。
【０００７】
本考案は、このような課題に着目してなされたものであって、指の不自由な者にも使い勝手が良好であり、且つ簡素に作れるようにしたベルトレンチを新たに提供することを目的としている。
【課題を解決するための手段】
【０００８】
本考案は、かかる目的を達成するために、次のような手段を講じたものである。
【０００９】
すなわち、本考案のベルトレンチは、支杆と、一端及び他端を支杆の外側に固定又は係り合わせその中間にループを形成したベルトとを具備し、ベルトのループを対象物に巻き掛けて支杆を回転操作するに伴い、支杆の一部をベルト押さえとして機能させてベルトのループを狭めつつ対象物を緊締して回転抵抗に抗して回転させ得るようにしたことを特徴とする。
【００１０】
ベルトを支杆自体に帰還させる場合には、支杆の内部にベルトを挿し通すための細い（あるいは狭い）中空部や穴あき部が必要になるが、支杆の外側にベルトをループ状にして固定又は係り合わせるようにすれば、そのような構造は不要である。そして、予めループを形成しておけば、ループを対象物に引っ掛けるだけでよいので、操作は極めて単純となる。また、支杆自体に中空部や穴あき部を設けなくて済むので、支杆自体の構造が簡素で支杆として使用できる素材や形態にも制約が少なくなる。
【００１１】
あるいは、他の構成としては、支杆と、一端を支杆に直接又は間接に固定若しくは係着され他端を自由端としたベルトと、中間部にループを形成して折り返した前記ベルトの他端側を支杆内に挿し通すことなく当該支杆の外側に係留するための係留手段とを具備し、その係留手段はループの大きさを変更可能とするものであって、ベルトのループを対象物に巻き掛けて支杆を回転操作するに伴い、支杆の一部をベルト押さえとして機能させてベルトのループを狭めつつ対象物を緊締して回転抵抗に抗して回転させ得るようにしたものが挙げられる。
【００１２】
このように支杆の外側でベルトを係留して必要に応じてループを形成する構造によっても、細い（あるいは狭い）中空部や穴あき部は不要であり、ベルトがうっかり外れた場合等にも、支杆自体の構造に依存しないため指の不自由な者にも再度セッティングが容易な係留構造を有効に採用することができる。また、支杆自体に中空部や穴あき部を設けなくて済むことによる効果も上記と同様である。
【００１３】
この場合、回転操作をより簡単にするためには、係留手段が、支杆を回転操作し始める前段階においてベルトを支杆に脱着可能に仮固定しておくものが望ましい。
【００１４】
具体的には、係留手段を、支杆及びベルトの対応部位にそれぞれ貼着される面ファスナー要素としたものが挙げられる。
【００１５】
一方、ベルトを簡単に手で押さえる操作は必要になるものの、セッティング等をより簡素にするためには、係留手段は、支杆に沿ってベルトを、当該支杆から一定以上離れないように規制するだけのものであってもよい。
【００１６】
具体的には、係留手段として、支杆に取り付けられてベルトを挿し通す開口を形成する挿通部を具備しておけばよい。この挿通部は支杆に引っ掛けるようにしたものであってもよい。
【００１７】
この場合に、緊締力の増大を図るためには、挿通部が、支杆のベルト押さえとともに対象物を押さえる固定具として機能していることが望ましい。
【００１８】
これらの場合、取付状態の適正化を図るためには、ベルトの一端を挿通部の一部に取り付けるようにすることが有効である。
【００１９】
また、ベルトを手で押さえる構造のものでは、支杆のうちベルト押さえとして機能する部位に、ベルトの緩みを抑制する抵抗部を設けておくことが望ましい。
【００２０】
軽くて持ち易いベルトレンチにするためには、支杆が長尺な平板状をなしていることが好ましい。
【００２１】
安定した操作と適切な回転力の付与を両立させるためには、支杆の先端側が湾曲しており、回転操作時に対象物をベルトを介して凹となる面側に巻き込むようにしているものが好適である。勿論、作り易さを優先するならば、支杆は直線的な方が手間は少なくて済む。
【考案の効果】
【００２２】
本考案は、以上説明した構成であるから、指の不自由な者に特に使い勝手が良好であり、取り扱いも簡単で、且つ簡素に作れる新規有用なベルトレンチを提供することが可能となる。
【考案を実施するための最良の形態】
【００２３】
以下、本考案のいくつかの実施形態を、図面を参照して説明する。
（第１実施形態）
【００２４】
図１に示すベルトレンチは、ドリンク剤やジャム等の瓶、飲料水の缶などに適用されて、その栓や蓋などの対象物ａを開栓する場合等に利用されるもので、支杆１、ベルト２及び係留手段たる面ファスナー要素３１ａ、３１ｂ、３２ａから構成されている。
【００２５】
支杆１は、図１及び図２に示すような長尺薄板状のもので、基端１ａ側が直線状をなし、先端１ｂ側が厚み方向に緩やかに湾曲する形状をなしている。支杆１は長いほど操作力は少なくて済むが、２０〜３０ｃｍ程度が扱い易く、使い勝手に優れている。素材には樹脂や竹など、適宜のものが利用可能である。
【００２６】
ベルト２は、ゴム製のもので、支杆１の幅寸法にほぼ対応する幅寸法を有し、長さは対象物にもよるが通常２５〜３０ｃｍ程度のものが適する。
【００２７】
そして、ベルト２の一端側における一方の面２ａと、当該ベルトの他端側における他方の面２ｂとにそれぞれ雌型の面ファスナー要素３１ａ、３１ｂを貼着する一方、支杆１の先端側において緩やかに凸となる側の面１ｃに雄型の面ファスナー要素３２ａを貼着している。勿論、雄、雌の関係は逆でもよい。支杆１側の面ファスナー要素３２ａの長さは通常の用途であれば８〜１０ｃｍ程度あれば事足りる。
【００２８】
そして、ベルト２の一端側を支杆１の先端付近に面ファスナー要素３１ａ、３２ａを介して接着し、自由端となったベルト２の他端側を折り返して支杆１の先端よりも基端側に近い位置に面ファスナー要素３１ｂ、３２ａを介して接着することにより、図２（ａ）→（ｂ）のように中間部にループ２０を形成可能としている。その際、面ファスナー要素３１ａ、３１ｂ、３２ａを用いていることから係留位置によってループ２０の大きさは当然に変更が可能である。ベルト２の一端は支杆１に常時固定しておいてもよい。
【００２９】
このようにして、ループ２０が閉じた状態にセットした後、またはループ２０を閉じる前の段階においてベルト２のループ２０を対象物aに巻き掛け、何れの場合にもループ２０を閉じた状態から支杆１を回転させて図３のように対象物aを支杆１の背面（凹となる面）１ｄ側に回り込ませ、このとき片手で瓶の胴体Ａを支持し、空いている片手で更に同図中矢印Ｘの方向に支杆１を回転操作する。これにより、支杆１の一部（先端部分）がベルト押さえとなってベルト２のループ２０を更に狭めつつ対象物ａの外周ａ１を緊締して、対象物ａを回転抵抗に抗してテコの力で回転させ、開栓を果たす。一旦対象物ａが緩めば、後は手で簡単に開けられる状態となる。ベルト２を対象物ａにセットするとき、滑らないように、ベルト２の巾方向の縁部を使用することや、対象物ａおよびベルト２が濡れた状態の下で使用することは避けるようにする。
【００３０】
つまり、この実施形態の係留手段たる面ファスナー要素３１ａ、３１ｂ、３２ａは、支杆１を回転操作し始める前段階においてループ２０を所要の大きさに仮固定し、回転操作時にベルト２を押さえずともベルト２が引っ張られる方向に係留力を発揮し、ベルト２が引っ張られる方向と異なる方向の操作力、つまり支杆１の厚み方向に面ファスナー３１ａ、３２ａ同士あるいは面ファスナー３１ｂ、３２ａ同士を引き剥がす方向の力を少なくとも最初に加えなければ係留状態を解除しないものである。そして、支杆１を回転させて図３に示すように支杆１の背面において対象物ａの周囲にベルト２を巻き付けるように支杆１を回転操作するので、面ファスナー３１ａ、３２ａ間、３１ｂ、３２ａ間の係着状態は適切に維持される。
【００３１】
以上のように構成すると、支杆１の外側の面でベルト２を係留するだけなので、細い所にベルト２を挿し通す必要などは一切ない。このため、必要に応じて面ファスナー要素３１ａ、３１ｂを面ファスナー要素３２ａに対して貼り直すだけでよく、指の不自由な者にも再度セッティングが容易な脱着構造とすることができる。また、支杆１自体に中空部や穴あき部を設けなくて済むので、支杆１自体の構造が簡素で当該支杆１として使用できる素材や形態に対する選択の自由度が高いという利点も得られる。
【００３２】
また、面ファスナー要素３１ａ、３１ｂ、３２ａのような係留手段は、面同士がずれる方向に係着力が強く、上述したようにベルト２が引っ張られる方向に係留力を発揮し、ベルト２が引っ張られる方向と異なる方向の操作力を少なくとも最初に加えなければ係留状態を解除しないので、支杆１を回転操作し始める前段階においてループ２０を適切に仮固定しておくことができる。つまり、ベルト２を押さえながら回転操作せずともループ２０の広がりを禁止しつつ適切に対象物ａを巻き込むことが容易であり、指の不自由な者にとって特に操作性の良好なものとなる。
【００３３】
また、このような構造であるから、支杆１に長尺な平板状のものを用いることができ、ベルト２の一端及び他端を支杆１の同じ側の面に取り付けて簡単に構成できる上に、軽くて持ち易い構造を有効に実現することができる。
【００３４】
さらに、支杆１の先端１ｂ側が湾曲しており、回転操作時に対象物aをベルト２を介して支杆１の凹となる面１ｄ側に巻き込むようにしているので、対象物ａの外周ａ１に支杆１を添設させ易く、安定した操作と適切な開栓力の発生を好適に両立させることができる。
【００３５】
なお、ベルト２は上記実施形態で言うところの他端側を支杆に固定又は係着し、一端側を自由端としても構わない。
【００３６】
また、ベルト２の一端及び他端を支杆１の外側の面に常時固定又は係り合わせておいてもよい。このようにすれば、ベルト２のループ２０が最初から閉じているため、当該ループ２０を栓などの対象物ａに係り合わせるだけでよく、ベルト２の脱着が不要となるので、対象物ａの大きさが極端に変わらなければこのようにして操作性を向上させることも有用となる。
（第２実施形態）
【００３７】
図４に示すベルトレンチは、上記実施形態と同様の用途に適用できるのは勿論であるが、本体に螺着されたボルトやバルブ等の対象物を緩める際の工具等としても利用可能なもので、支杆１０１、ベルト１０２及び係留手段１０３から構成される。
【００３８】
支杆１０１は、長尺板状である点で上記実施形態と同様であるが、この実施形態の支杆１０１は先端部が湾曲しておらず、全体として真っ直ぐに延びる直線状のものが用いてある。
【００３９】
ベルト１０２は、前記実施形態と同様、ゴム製のもので適宜長さに設定してある。
【００４０】
一方、係留手段１０３は、支杆１０１に取り付けられてベルト１０２を挿し通す開口Ｓを形成する挿通部たる金具１３１を備える。
【００４１】
金具１３１は、概略コ字型のもので、その開放端側において向き合う一対の支軸１３１ａを支杆１０１の側面に回転可能に取り付けている。支杆１０１に厚みがあるため、ベルト１０２を極力支杆１０１に沿わせるようにするべく、金具１３１の側部は支杆１０１の厚み相当分だけ曲げてある。そして、ベルト１０２の一端に環状部１０２ａを形成して金具１３１の中間部に存するベルト支軸杆１３１ｂに支持させ、他端を自由端として、このベルト１０２の中間部を折り返しつつ他端を金具１３１と支杆１０１との間に形成される開口Ｓに挿し通すようにしている。
【００４２】
すなわち、金具１３１は、支杆１０１に沿ってベルト１０２を、当該支杆１０１から一定以上離れないように規制する係留手段として機能しており、ベルト１０２のうちループ１２０よりも他端側は支杆１０１に沿ってその外側に表出しているので、どの部位においてもベルト１０２を支杆１０１側に指などで簡単に押さえることができ、これによりベルト１０２が繰り出されてループ１２０が広がることを禁止することができる。このため、ベルト１０２のうちの僅かな表出部分（或いはベルト押さえ用に設けられた僅かな部分）を手で押さえながら回転操作する場合に比べれば、指の不自由な者にとっての操作性を格段に向上させることができる。しかも、面ファスナーのような脱着操作が要らないため、回転操作に入るまでのセッティング手順や操作完了後の手順も容易となる。
【００４３】
そして、ベルト１０２のループ１２０を図５（ａ）→（ｂ）のように対象物ｂに巻き掛けて、対象物ｂに対し本体が回らない状態の下で支杆１０１を矢印Ｙ方向に回転操作するに伴い、支杆１０１の一部（押さえとして機能する部分）と対象物ｂとの間でベルト１０２を挟み込むので、支杆１０１の回転が進むに伴いベルト１０２のループ１２０を狭めつつ対象物ｂを緊締して回転抵抗に抗してテコの力で回転させることができる。
【００４４】
なお、この実施形態では、支杆１０１のうちベルト押さえとして機能する部位に、図５（ｂ）のようにベルト１０２の緩みを抑制する抵抗部１０１Ｘが設けてある。この抵抗部１０１Ｘは、断面が波状（或いは鋸歯状）の凹凸からなるもので、ベルト１０２のループ１２０が絞られて対象物Ｂを緊締する際にベルト１０２に圧接してベルト１０２が引っ張り力で緩むのを禁止するものである。
【００４５】
このような構成によっても、支杆１０１の外側の面でベルト１０２を係留するだけなので、細い所にベルト１０２を挿し通す必要などが一切ない。このため、必要に応じて金具１３１の開口Ｓにベルト１０２を挿し直すだけでよく、指の不自由な者にも再度セッティングが容易な脱着構造とすることができる。また、支杆１０１自体に中空部や穴あき部を設けなくて済む利点や、支杆１０１自体の構造が簡素で当該支杆１０１として使用できる素材や形態に選択の自由度が高い利点も上記実施形態と同様である。
【００４６】
特に、この実施形態の係留手段１０３は、支杆１０１に沿ってベルト１０２を、当該支杆１０１から一定以上離れないように規制するだけであるので、どの部位においてもベルト１０２を支杆１０１側に押さえることが容易であり、これによりベルト１０２が繰り出されてループ１２０が広がることを簡単に禁止することができる。このため、ベルトの僅かな表出部分（或いはベルト押さえ用に設けられた僅かな部分）を限定的に手で押さえながら回転操作しなければならない従来構造に比べれば、指の不自由な者にとっての操作性は優れたものになる。しかも、これだとループ１２０の大きさが変更可能であるにも拘わらずベルト１０２を仮保持するための脱着操作も不要であるため、セッティングがより容易であり、回転操作に至る手順や操作完了後の手順も簡素なものとなる。
【００４７】
特に、係留手段１０３が、支杆１０１に取り付けられてベルト１０２を挿し通す開口Ｓを形成する挿通部たる金具１３１を具備するだけであるため、簡単な金具パーツなどを用いてベルト１０２を挿し通すための十分な開口Ｓを確保する構成を容易に実現することができ、平易にして使い勝手に優れたものとなる。勿論、金具パーツにかえて樹脂パーツを用いても構わない。
【００４８】
この場合、挿通部たる金具１３１が、支杆１０１の回転操作に伴って図５（ｂ）のように対象物ｂの外周ｂ１に添設して、支杆１０１のベルト押さえ部分とともに対象物ｂを押さえる固定具として機能するので、緊締力が増大されたものとなり、ベルト１０２のみにて回転力を付与する場合に比して、より大きな回転力を無理なく得ることができ、特に工具として用いる場合に有効となる。工具として使用する場合には、更にベルトの強度が必要となるので、ナイロンベルト等にゴム皮覆を施したもの或いはナイロンベルト等にゴムを貼り合わせたものをベルトとして用いることがより望ましい。
【００４９】
さらに、挿通部である金具１３１のみを支杆１０１に取り付け、ベルト１０２の一端はその金具１３１の一部に取り付けるようにしているので、金具１３１及びベルト１０２の双方を支杆１０１に取り付ける構造に比べれば、取付状態の適正化を図ることができる。
さらにまた、支杆１０１のうちベルト押さえとして機能する部位に、ベルト１０２の緩みを抑制する抵抗部１０１Ｘを設けているので、構造の簡素化および手順の良さとベルトの緩み防止とを好適に両立させることができる。
【００５０】
その他、支杆が長尺な平板状のものであることによる効果なども、上記実施形態と同様である。
【００５１】
なお、図４では挿通部である金具１３１を概略コ字型のものにし、その開放端側において向き合う一対の支軸１３１ａを支杆１０１の側面に回転可能に取り付けて構成したが、図６に示すように、挿通部である金具１３１をほぼ閉じた形状（できれば完全に閉じた形状）のものにして、その内側に支杆１０１を通し、支杆１０１の裏面に金具１３１の基端軸部分１３１ｃを回転可能に取り付けるようにしてもよい。或いは、図７に示すように、支杆１０１のうち抵抗部１０１Ｘを設けている先端（頭部）１ｂが基端１ａ側よりも少なくとも金具１３１の太さ分だけ幅広となるように支杆１０１の途中に段部１０１ｂを形成して、使用時にその段部１０１ｂに金具１３１を引っ掛けて支杆１０１からの抜脱を防ぐと同時にベルト１０２の緊締力を生み出すようにしてもよい。これらによれば、支杆１０１への金具１３１の取り付けが簡素若しくは不要になる上に、金具１３１の強度も完全に閉じた形状にするなどして有効に向上させることができ、支杆１０１にも軸穴等を設けなくてもよいため当該支杆１０１の強度低下も有効に防ぐことができる。したがって、これらは工具として用いる場合に特に有効な構造となり得る。勿論、これらの場合にも、支杆１０１の厚みを考慮して、ベルト１０２を極力支杆１０１に沿わせるべく、金具１３１の側部を支杆１０１の厚み相当分だけ曲げておくことが好ましいのは図４の場合と同様である。
【００５２】
また、操作前にループを仮固定でき、そのループの大きさも変更できる係留手段にするためには、ズボンのベルト等に一般に使用されているベルト止めのような構造にしてもよい。このようなベルト止め構造によれば、既存の金具若しくは既存の金具に類する構造のものを採用することができるので、簡素に採用できて使い勝手に優れたものになる。
【００５３】
以上、本考案の一実施形態について説明したが、各部の具体的な構成は上述した実施形態のみに限定されるものではなく、本考案の趣旨を逸脱しない範囲で種々変形が可能である。例えば、面ファスナー式のベルトレンチを工具として用いたり、金具式のベルトレンチを瓶や缶の栓や蓋を開栓させる用途に用いるなど、多様な使い方ができるのは勿論である。
【図面の簡単な説明】
【００５４】
【図１】本考案の第１実施形態を示す斜視図。
【図２】同平面図。
【図３】同作用説明図。
【図４】本考案の第２実施形態を示す斜視図。
【図５】同作用説明図。
【図６】本考案の変形例を示す図。
【図７】本考案の他の変形例を示す図。
【符号の説明】
【００５５】
１、１０１…支杆
２、１０２…ベルト
２０、１２０…ループ
ａ、ｂ…対象物
３１ａ、３１ｂ、３２ａ…係留手段（面ファスナー要素）
１０１Ｘ…抵抗部
１０３…係留手段
１３１…挿通部（金具）
【図１】
0003137598.tif 000003
【図２】
0003137598.tif 000004
【図３】
0003137598.tif 000005
【図４】
0003137598.tif 000006
【図５】
0003137598.tif 000007
【図６】
0003137598.tif 000008
【図７】
0003137598.tif 000009